(57)【要約】      （修正有）【課題】読取装置へ識別体をかざさないハンズフリーの読取装置を利用してもその利便性を確保したまま識別体紛失時の不正利用を防止して安全性を確保できる入退管理システムを提供する。【解決手段】このシステムでは、コントローラ１により、正規カード３Ｃを所持する正規利用者３Ｂが建物の集合玄関６のエリアの壁内に隠されて設置されたハンズフリーの正規カードリーダ３Ａを読取り範囲Ｅ１内で利用したときにカード３Ｃの識別子と管理端末２Ａの照合用識別子との認証を行った結果が照合一致を示す場合に正規利用とみなして許可信号を与えて玄関６を区切る壁に設備された電気錠付き自動ドア５を解錠すると共に、拾得カード４Ｃを所持する不正利用者４Ｂがドア５における入口側の他の箇所で視認可能に設置されたダミーカードリーダ４Ａを読取り範囲Ｅ２内で利用したときに不正利用とみなして不許可信号を与えてドア５の解錠を禁ずる状態を維持する。【選択図】図１
2017089107.tif 000002
【特許請求の範囲】
【請求項１】
利用者が所持する識別子を持つ識別体と、建物の管理領域を区切る壁の出入り口に設けられた扉における入口側に設置されると共に、前記識別体の前記識別子を識別して読み取る読取装置と、前記読取装置と接続されて当該読取装置から読み取られた前記識別体の前記識別子と予め装置内に登録された照合用識別子とを比較照合した結果が一致を示す場合に認証成立とみなして前記扉の解錠を許可する指示を行う制御装置と、を備えた入退管理システムにおいて、
前記読取装置は、前記扉における入口側の所定箇所で視認できないように隠されて設置されると共に、前記識別体をかざさずにハンズフリーで当該識別体の前記識別子への認証を行う正規読取装置と、前記扉における入口側の他の箇所で視認できるように設置されると共に、前記識別子をかざさして当該識別体の前記識別子への認証を行うダミー読取装置と、を備え、
前記制御装置は、前記識別体を所持する利用者が前記正規読取装置を利用したときに前記識別子と前記照合用識別子との認証を行った結果が照合一致を示す場合に正規利用とみなして許可信号を与えて前記扉を解錠すると共に、前記ダミー読取装置を利用したときに不正利用とみなして不許可信号を与えて当該扉の解錠を禁じる状態を維持することを特徴とする入退管理システム。
【請求項２】
利用者が所持する識別子を持つ識別体と、建物の管理領域を区切る壁の出入り口に設けられた扉における入口側に設置されると共に、前記識別体の前記識別子を識別して読み取る読取装置と、前記読取装置と接続されて当該読取装置から読み取られた前記識別体の前記識別子と予め装置内に登録された照合用識別子とを比較照合した結果が一致を示す場合に認証成立とみなして前記扉の解錠を許可する指示を行う制御装置と、を備えた入退管理システムにおいて、
前記読取装置は、前記扉における出口側に存在する部屋の内部の所定箇所で視認できないように隠されて設置されると共に、前記識別体をかざさずにハンズフリーで当該識別体の識別子への認証を行う部屋内正規読取装置と、前記扉における出口側に存在する前記部屋の内部の他の箇所で視認可能なように設置されると共に、前記識別子をかざさして当該識別体の前記識別子への認証を行う部屋内ダミー読取装置と、を備え、
前記制御装置は、前記識別体を所持する利用者が前記部屋内正規読取装置を利用したときに前記識別子と前記照合用識別子との認証を行った結果が照合一致を示す場合に正規利用とみなして許可信号を与えて前記扉を解錠すると共に、前記部屋内ダミー読取装置を利用したときに不正利用とみなして不許可信号を与えて当該扉の解錠を禁じる状態を維持することを特徴とする入退管理システム。
【請求項３】
請求項１又は２記載の入退管理システムにおいて、
前記制御装置と接続されて前記建物の管理室に設置されて前記照合用識別子を含む管理情報を予め当該制御装置へ登録設定可能に管理する管理端末を備え、
前記制御装置は、前記ダミー読取装置又は前記部屋内ダミー読取装置で読み取られたリーダ号機番号と前記識別体の前記識別子とを取得して前記不正利用とみなすと、当該識別体の利用を停止して前記管理端末へ警告通知を行い、
前記管理端末は、前記警告通知を受けると当該警告通知を受けた旨のメッセージに前記リーダ号機番号と前記識別体の前記識別子とを付加して表示部に表示することを特徴とする入退管理システム。
【発明の詳細な説明】
【技術分野】
【０００１】
本発明は、利用者が所持する識別子（ＩＤ）を持つ識別体を読取装置で読み取り、制御装置で識別子の認証が成立したときに建物の管理領域を区切る壁の出入り口に設けられた扉を解錠する機能を持つ入退管理システムに関する。
【背景技術】
【０００２】
従来、この種の入退管理システムでは、利用者が所持する固有情報の識別子を持つＩＣカードや磁気カード等のＩＤカード、或いはバーコード付きカードやＩＣタグ等の識別体を建物の管理領域を区切る壁の出入り口に設けられた扉における入り口側に設置された読取装置（カード形式の場合はカードリーダと呼ばれる）で読み取って認証処理することにより、その利用者が識別子の照合結果で一致する場合にのみ、許可された人物として扉を解錠して戸開することで管理領域へ利用者を進入できるように管理している。
【０００３】
ところが、こうした識別子を持つ識別体を用いた入退管理システムでは、正規な利用者が識別体を紛失した場合、その識別体を拾得した第三者が不正に利用し、対象とする管理領域を区切る壁の出入り口に設けられた扉近傍に設置された読取装置に識別体を読み取らせれば、照合結果が一致して管理領域への進入が許可されてしまうことになり、安全性の確保にとって大きな問題となる。そこで、こうした識別体の不正な利用を対策するための周知技術の一例として、カード紛失時等の際の不正利用を防止（リスク低減）してセキュリティを高めた安価な「入退管理システム、及びカードリーダ」（特許文献１参照）が挙げられる。
【先行技術文献】
【特許文献】
【０００４】
【特許文献１】特許特開２０１１−１１４６９７号公報
【発明の概要】
【発明が解決しようとする課題】
【０００５】
上述した特許文献１に係る技術では、識別子の照合に追加し、読取装置であるカードリーダに識別体のカードをかざしている時間を暗証番号として扱い、登録されている暗証番号との照合を行うことでカード紛失時の不正利用を防止するシステム機能を構築しているが、ここでは識別体を読取装置にかざすことを前提としているため、係るシステム機能は利用者が識別体を読取装置へかざさずに認証を行うハンズフリーの読取装置には適用することができないという問題がある。
【０００６】
本発明は、このような問題点を解決すべくなされたもので、その技術的課題は、読取装置へ識別体をかざさないハンズフリーの読取装置を利用してもその利便性を確保したまま識別体紛失時の不正利用を防止して安全性を確保できる入退管理システムを提供することにある。
【課題を解決するための手段】
【０００７】
上記技術的課題を達成するため、本発明に係る第１の手段は、利用者が所持する識別子を持つ識別体と、建物の管理領域を区切る壁の出入り口に設けられた扉における入口側に設置されると共に、識別体の識別子を識別して読み取る読取装置と、読取装置と接続されて当該読取装置から読み取られた識別体の識別子と予め装置内に登録された照合用識別子とを比較照合した結果が一致を示す場合に認証成立とみなして扉の解錠を許可する指示を行う制御装置と、を備えた入退管理システムにおいて、読取装置は、扉における入口側の所定箇所で視認できないように隠されて設置されると共に、識別体をかざさずにハンズフリーで当該識別体の識別子への認証を行う正規読取装置と、扉における入口側の他の箇所で視認できるように設置されると共に、識別子をかざさして当該識別体の識別子への認証を行うダミー読取装置と、を備え、制御装置は、識別体を所持する利用者が正規読取装置を利用したときに識別子と照合用識別子との認証を行った結果が照合一致を示す場合に正規利用とみなして許可信号を与えて扉を解錠すると共に、ダミー読取装置を利用したときに不正利用とみなして不許可信号を与えて当該扉の解錠を禁じる状態を維持することを特徴とする。
【０００８】
また、上記技術的課題を達成するため、本発明に係る第２の手段は、利用者が所持する識別子を持つ識別体と、建物の管理領域を区切る壁の出入り口に設けられた扉における入口側に設置されると共に、識別体の識別子を識別して読み取る読取装置と、読取装置と接続されて当該読取装置から読み取られた識別体の識別子と予め装置内に登録された照合用識別子とを比較照合した結果が一致を示す場合に認証成立とみなして扉の解錠を許可する指示を行う制御装置と、を備えた入退管理システムにおいて、読取装置は、扉における出口側に存在する部屋の内部の所定箇所で視認できないように隠されて設置されると共に、識別体をかざさずにハンズフリーで当該識別体の識別子への認証を行う部屋内正規読取装置と、扉における出口側に存在する部屋の内部の他の箇所で視認可能なように設置されると共に、識別子をかざさして当該識別体の識別子への認証を行う部屋内ダミー読取装置と、を備え、制御装置は、識別体を所持する利用者が部屋内正規読取装置を利用したときに識別子と照合用識別子との認証を行った結果が照合一致を示す場合に正規利用とみなして許可信号を与えて扉を解錠すると共に、部屋内ダミー読取装置を利用したときに不正利用とみなして不許可信号を与えて当該扉の解錠を禁じる状態を維持することを特徴とする。
【発明の効果】
【０００９】
本発明によれば、上記何れかの構成により、読取装置へ識別体をかざさないハンズフリーの読取装置を利用してもその利便性を確保したまま識別体紛失時の不正利用を防止して安全性を確保できるようになる。上記した以外の課題、構成及び効果は、以下の実施の形態の説明により明らかにされる。
【図面の簡単な説明】
【００１０】
【図１】本発明の実施例に係る入退管理システムの基本構成を示した概略ブロック図である。
【図２】図１に示す入退管理システムにおける各部のカード利用時の動作処理の概略を示したシーケンス図である。
【図３】図１に示す入退管理システムに備えられる制御装置（コントローラ）の動作処理を示すフローチャートである。
【発明を実施するための形態】
【００１１】
以下に、本発明の入退管理システムについて、実施例を挙げ、図面を参照して詳細に説明する。
【実施例】
【００１２】
図１は、本発明の実施例に係る入退管理システムの基本構成を示した概略ブロック図である。
【００１３】
図１を参照すれば、この入退管理システムは、利用者（正規利用者３Ｂ、不正利用者４Ｂ）が所持する識別子（ＩＤ）を持つ識別体の一例であるカード（ここでは正規利用者３Ｂが所持する正規カード３Ｃ、不正利用者４Ｂが拾得して所持する拾得カード４Ｃに区別されるものとする）と、建物の管理領域（ここでは集合玄関６の奥に存在する部屋を示すものとする）を区切る壁に設備された扉である電気錠付き自動ドア５における入口側に設置されると共に、カード（正規カード３Ｃ、拾得カード４Ｃ）の識別子を認識して読み取る読取装置としてのカードリーダ（後述する正規カードリーダ３Ａ、ダミーカードリーダ４Ａに区別されるものとする）と、カードリーダ（正規カードリーダ３Ａ、ダミーカードリーダ４Ａ）と接続されてカードリーダ（正規カードリーダ３Ａ、ダミーカードリーダ４Ａ）で読み取られたカード（正規カード３Ｃ、拾得カード４Ｃ）の識別子と予め装置内に登録された照合用識別子とを比較照合した結果が一致を示す場合に認証成立とみなして扉の解錠を許可する指示を行う制御装置としてのコントローラ１と、コントローラ１と接続されて管理者２Ｂが駐在する建物の所轄の管理室２に設置されてカード（正規カード３Ｃ、拾得カード４Ｃ）における識別子の照合に供される照合用識別子を含む管理情報をコントローラ１へ登録設定可能に管理する管理端末２Ａと、を備えて構成される。
【００１４】
このうち、カードリーダは、電気錠付き自動ドア５における入口側の所定箇所で視認できないように集合玄関６のエリアの壁内に隠されて設置されると共に、正規カード３Ｃをかざさずにハンズフリーで読取り範囲Ｅ１内で正規カード３Ｃの識別子を読み取る正規カードリーダ３Ａと、電気錠付き自動ドア５における入口側の他の箇所で視認できるように（集合玄関６のエリアのフロア内に目立つように）設置されると共に、拾得カード４Ｃをかざさして読取り範囲Ｅ２内で拾得カード４Ｃの識別子を読み取るダミーカードリーダ４Ａと、が使用されている。また、カードは、上述したように正規利用者３Ｂが所持する正規カード３Ｃと、不正利用者４Ｂが拾得して所持する拾得カード４Ｃと、が使用されている。更に、関係人物として、管理室２に駐在する管理者２Ｂの他、正規カード３Ｃを通常通りに保持している正規利用者３Ｂ、並びに本来の所持者でなく正規カード３Ｃを拾得した拾得カード４を所持した不正利用者４Ｂが存在するものとする。こうした条件下でコントローラ１は、正規カード３Ｃを所持する正規利用者３Ｂが読取り範囲Ｅ１内で正規カードリーダ３Ａを利用したときに正規カード３Ｃの識別子と管理端末２の照合用識別子との認証を行った結果が照合一致を示す場合に正規利用とみなして許可信号を与えて電気錠付き自動ドア５を解錠すると共に、拾得カード４Ｃを所持する不正利用者４Ｂが読取り範囲Ｅ２内でダミーカードリーダ４Ａを利用したときに不正利用とみなして不許可信号を与えて電気錠付き自動ドア５の解錠を禁じる状態を維持する制御を行う。
【００１５】
具体的に云えば、入退管理システムにおけるコントローラ１は、システム全体の制御機能を担うもので、管理端末２Ａと協働して正規カード３Ｃの識別子を管理するために必要な管理情報が保有されている。この管理情報には、カード利用者毎のカードリーダ号機番号（以下、単にリーダ号機番号と呼ぶ）、カードの照合用識別子（照合用カードＩＤ）が含まれる。このため、コントローラ１は、通信ケーブルを介して管理端末２Ａと接続される他、正規カードリーダ３Ａ及びダミーカードリーダ４Ａと電気錠付き自動ドア５とに接続され、各部との間で通信可能となっている。コントローラ１には、管理室２の管理者２Ｂが操作した管理端末２Ａからシステム全体の設定・管理のための管理情報が設定される。管理端末２Ａの表示部の表示画面（ＧＵＩ）は、各種管理情報（設定値等）の設定操作等が可能となっている。また、コントローラ１は、管理端末２Ａから伝送される照合用識別子の情報（カード認証に関する設定値等）の登録が可能となっている。更に、コントローラ１は、正規カードリーダ３Ａ、ダミーカードリーダ４Ａで正規カード３Ｃ、拾得カード４Ｃから読み取った識別子の情報を受信可能となっている。
【００１６】
正規利用者３Ｂが所持する正規カード３Ｃは、非接触型のカード媒体等であり、例えば内蔵メモリに固有の識別子（カードＩＤ）等が記録されている。この識別子は、認証の際に照合用識別子（照合用カードＩＤ）との間での照合処理に使用される。正規カードリーダ３Ａ、並びにダミーカードリーダ４Ａは、検知部と発光ダイオード（ＬＥＤ）による表示部とを備え、検知部で認証の際に利用者（正規利用者３Ｂ、不正利用者４Ｂ）によってかざされるか、或いは所持したままのカード（正規カード３Ｃ、拾得カード４Ｃ）を検知し、表示部で認証の際に利用者（正規利用者３Ｂ、不正利用者４Ｂ）に対して検知状態情報を知らせるために点灯や消灯を行う。因みに、ダミーカードリーダ４Ａの読取り範囲Ｅ２は、実用上で正規カードリーダ３Ａの読取り範囲Ｅ１よりも狭くしておくことが好ましい。
【００１７】
この入退管理システムでは、管理室２の管理者２Ｂが管理端末２Ａを用いてコントローラ１に対して正規利用者３Ｂの照合用識別子を設定して登録しているため、正規利用者３Ｂが正規カードリーダ３Ａの前を読取り範囲Ｅ１内で通過すると所持する正規カード３Ｃが正規カードリーダ３Ａで検知されて正規カードリーダ３Ａからコントローラ１へ正規カード３Ｃの識別子がリーダ号機番号と合わせて通知される。そこで、コントローラ１は、正規カード３Ｃの識別子と登録されている照合用識別子とを比較参照した結果、参照一致で正規カード３Ｃを正しく認証した場合（認証が成功した場合）、許可信号を与えて電気錠付き自動ドア５を解錠して戸開することで管理領域の部屋内への進入（入室）が可能となるが、認証が失敗した場合には不許可信号を継続して与えて解錠を許可させないために部屋内への進入が不可状態となる。また、不正利用者４Ｂがダミーカードリーダ４Ａに拾得カード４Ｃを読取り範囲Ｅ２内でかざすと、ダミーカードリーダ４Ａからコントローラ１へ拾得カード４Ｃの識別子がリーダ号機番号と合わせて通知されるため、こうした場合にコントローラ１は管理端末２Ａへ警告通知を行い、管理端末２Ａの表示部の表示画面には警告が表示されるため、管理者２Ｂに警告することができる。
【００１８】
図２は、実施例に係る入退管理システムにおける各部のカード利用時の動作処理の概略を示したシーケンス図である。
【００１９】
図２を参照すれば、入退管理システムにおけるカード利用時の動作処理では、予め管理者２Ｂにより管理端末２Ａからコントローラ１に対して正規カード３Ｃの識別子に対する照合用識別子（照合用カードＩＤ）を登録するカードＩＤ登録（ステップＳ２１）の処理が行われていることを前提とし、正規利用者３Ｂが正規カード３Ｃの認証を行った後、不正利用者４Ｂが拾得カード４Ｃの認証を行う場合を想定して説明する。
【００２０】
そこで、正規利用者３Ｂは、認証の際に自身が正規カード３Ｃを所持して読取り範囲Ｅ１内で正規カードリーダ３Ａの前を通過することにより、正規利用者３Ｂが正規カードリーダ３Ａの前を通過（ステップＳ２２）する処理が行われ、これを受けて正規カードリーダ３Ａがコントローラ１へリーダ号機番号とカードＩＤを通知（ステップＳ２３）する処理が行われる。そこで、コントローラ１は、リーダ号機番号より通知元が正規カードリーダ３Ａであると判定（ステップＳ２４）した後、正規カードリーダ３Ａから通知された正規カード３Ｃの識別子と登録済みの照合用識別子とを比較照合し、照合結果を判別するカードＩＤ→一致（ステップＳ２５）の処理を行う。この照合結果が一致すると、認証の結果が成功（ＯＫ）となり、コントローラ１は電気錠付き自動ドア５を解錠する制御を行うことにより、認証ＯＫ入室許可・ドア解錠（ステップＳ２６）の処理が行われることになる。この結果、正規カード３Ｃを所持する正規利用者３Ｂは、電気錠付き自動ドア５が開かれるためにその奥の部屋に進入することができる。
【００２１】
これに対し、拾得カード４Ｃを所持する不正利用者４Ｂが認証を行う場合を説明する。ここでも予め管理者２Ｂにより管理端末２Ａからコントローラ１に対して拾得カード４Ｃの識別子に対する照合用識別子（カードＩＤ）を登録するカードＩＤ登録（ステップＳ２１）の処理が行われている前提は同じである。即ち、拾得カード４Ｃ自体は本来、正規カード３Ｃと同様なものであるが、ここでは正規利用者３Ｂでない他の第三者の不正利用者４Ｂが拾得して所持し、不正に利用する場合を想定している。
【００２２】
こうした想定の場合、不正利用者４Ｂは、正規カードリーダ３Ａの設置場所を知らず、所持した拾得カード４Ｃをダミーカードリーダ４Ａに読取り範囲Ｅ２内でかざすため、不正利用者４Ｂがカードをかざす（ステップＳ２７）処理が行われ、これを受けてダミーカードリーダ４Ａがコントローラ１へリーダ号機番号とカードＩＤを通知（ステップＳ２８）する処理が行われる。そこで、コントローラ１は、リーダ号機番号より通知元がダミーカードリーダ４Ａによる不正利用カード（拾得カード４Ｃ）と判定（ステップＳ２９）した後、通知されたカードＩＤを利用停止の処理（登録値の変更）とするカード利用停止（ステップＳ３０）の処理を行う。勿論、こうした判定結果の流れにおいて、コントローラ１は、不許可信号を継続して与えて電気錠付き自動ドア５の解錠を禁じる状態を維持したままとなっている。更に、コントローラ１は、管理端末２Ａへカード不正利用である旨の警告通知（ステップＳ３１）の処理を行い、これを受けた管理端末２Ａでは、表示部の表示画面にカード不正利用が通知（検知）された旨の警告表示（ステップＳ３２）を行うため、管理者２Ｂが警告を認識して対処することができる。
【００２３】
図３は、実施例に係る入退管理システムに備えられるコントローラ１の動作処理を示すフローチャートである。
【００２４】
図３を参照すれば、コントローラ１の動作処理では、初期的に不許可信号を与えて電気錠付き自動ドア５の解錠を禁じる状態を維持していることを前提とし、正規カード３Ｃを所持する正規利用者３Ｂが正規カードリーダ３Ａの前を通過するか、或いは拾得カード４Ｃを所持する不正利用者４Ｂがダミーカードリーダ４Ａに拾得カード４Ｃをかざすことを契機として、正規カードリーダ３Ａ又はダミーカードリーダ４Ａからリーダ号機番号、及びカードＩＤ検知（ステップＳ３０）された結果を受信すると、正規カードリーダ３Ａ又はダミーカードリーダ４Ａから受信したリーダ号機番号は正規カードリーダ３Ａであるか否かの判定（ステップＳ３１）を行う。この判定の結果、正規カードリーダ３Ａであれば、正規カードリーダ３Ａから通知された識別子と登録済みの照合用識別子とを比較照合し、照合結果を判別することでカードＩＤは登録値と一致するか否かの判定（ステップＳ３２）の処理を行い、一致していれば許可信号を与えて電気錠付き自動ドア５を解錠する認証ＯＫ入室許可・ドア解錠（ステップＳ３３）の処理を行ってから動作処理を終了するが、一致していなければ、不許可信号を引き続いて継続して与えて電気錠付き自動ドア５の解錠を禁じる状態を維持する入室不許可（ステップＳ３４）の処理を行ってから動作処理を終了する。
【００２５】
ところで、先のリーダ号機番号は正規カードリーダであるか否かの判定（ステップＳ３１）の結果、正規カードリーダ３Ａでなければ（ダミーカードリーダ４Ａであれば）、ダミーカードリーダ４Ａから通知された識別子と登録済みの照合用識別子とを比較照合し、照合結果を判別することでカードＩＤは登録値と一致するか否かの判定（ステップＳ３６）の処理を行い、一致していればカード利用停止（ステップＳ３６）の処理を行ってからカードの不正利用と判定して管理端末２Ａへ警告通知（ステップＳ３７）する処理を行ってから動作処理を終了するが、一致しない場合にも同様に、カードの不正利用と判定して管理端末２Ａへ警告通知（ステップＳ３７）する処理を行ってから動作処理を終了する。因みに、ここでの処理の流れ（ステップＳ３５〜Ｓ３７）においても、コントローラ１は不許可信号を与えて電気錠付き自動ドア５の解錠を禁じる状態を継続して維持している。
【００２６】
以上に説明したように、実施例に係る入退管理システムによれば、コントローラ１により、正規カード３Ｃを所持する正規利用者３Ｂが建物の集合玄関６のエリアの壁内に隠されて設置されたハンズフリーの正規カードリーダ３Ａを読取り範囲Ｅ１内で利用したときにカード３Ｃの識別子と管理端末２Ａの照合用識別子との認証を行った結果が照合一致を示す場合に正規利用とみなして許可信号を与えて集合玄関６を区切る壁に設備された電気錠付き自動ドア５を解錠すると共に、拾得カード４Ｃを所持する不正利用者４Ｂが電気錠付き自動ドア５における入口側の他の箇所で視認できるように設置されたダミーカードリーダ４Ａを読取り範囲Ｅ２内で利用したときに不正利用とみなして不許可信号を与えて電気錠付き自動ドア５の解錠を禁じる状態を維持するため、カードリーダへカードをかざさないハンズフリーの正規カードリーダ３Ａを利用してその利便性を確保したままダミーカードリーダ４Ａを目立つ場所で囮として併用させることにより、正規カード３Ｃを正規利用者３Ｂが紛失したときの不正利用を防止して集合玄関６の奥の管理領域への進入（入室）を禁じて安全性を確保することができるようになる。
【００２７】
尚、実施例で説明した入退管理システムでは、識別体としてＩＤカード（ＩＣカード、磁気カード）を用いた場合を説明したが、その他にバーコード付きカードやＩＣタグ等を用いても良い。また、実施例では主に建物の集合玄関６のエリアを区切る壁の出入り口に設けられた扉の電気錠付き自動ドア５における入口側にカードリーダ（正規カードリーダ３Ａ、ダミーカードリーダ４Ａ）を設置して管理領域であるその奥の部屋への不正な進入（入室）を防止する場合の機能構成について説明したが、これに代えて電気錠付き自動ドア５の奥の管理領域とする部屋内を対象にして退出（退室）時に同様な機能構成を持たせることもできる。この場合、電気錠付き自動ドア５における出口側に存在する部屋の内部の所定箇所で視認できないように隠されて設置されると共に、識別体をかざさずにハンズフリーで識別体の識別子への認証を行う部屋内正規読取装置（部屋内正規カードリーダ）と、電気錠付き自動ドア５における出口側に存在する部屋の内部の他の箇所で視認可能なように設置されると共に、識別子をかざさして識別体の識別子への認証を行う部屋内ダミー読取装置（部屋内ダミーカードリーダ）とを用いれば良い。こうした上でコントローラ１が正規カード３Ｃを所持する正規利用者３Ｂが部屋内正規カードリーダを利用したときに正規カード３Ｃの識別子と照合用識別子との認証を行った結果が照合一致を示す場合に正規利用とみなして許可信号を与えて電気錠付き自動ドア５を解錠すると共に、部屋内ダミーカードリーダを利用したときに不正利用とみなして不許可信号を与えて電気錠付き自動ドア５の解錠を禁じる状態を維持する制御を行うようにすれば良い。更に、こうした場合においても、コントローラ１は、部屋内ダミーカードリーダで読み取られたリーダ号機番号と拾得カード４Ｃの識別子とを取得して不正利用とみなすとその拾得カード４の利用を停止して管理端末２Ａへ警告通知を行い、管理端末２Ａが警告通知を受けるとその旨のメッセージにリーダ号機番号と拾得カード４Ｃの識別子とを付加して表示部に表示するようにすれば良い。この機能構成によれば、拾得カード４Ｃを所持する不正利用者４Ｂが部屋内から退出（退室）できないため、部屋内に拘束された不正利用者４Ｂを管理者２Ｂが容易に見つけられるという利点がある。その他、実施例の入退管理システムでは、扉を電気錠付き自動ドア５として説明したが、識別子の認証が成立した場合に自動解錠されなくてもその指示に基づいて別途に専用の係り員等が解錠を行う場合も想定されるため、その他の形態であっても良い。このように、本発明の入退管理システムは、実施例で説明した形態を種々変更可能であるため、実施例で説明した形態に限定されない。
【符号の説明】
【００２８】
１  制御装置（コントローラ）
２  管理室
２Ａ  管理端末
２Ｂ  管理者
３Ａ  正規カードリーダ
３Ｂ  正規利用者
３Ｃ  正規カード
４Ａ  ダミーカードリーダ
４Ｂ  不正利用者
４Ｃ  拾得カード
５  電気錠付き自動ドア
６  集合玄関
【図１】
2017089107.tif 000003
【図２】
2017089107.tif 000004
【図３】
2017089107.tif 000005